【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
発光色が互いに異なる複数の発光ダイオードを有する発光手段と、
前記発光手段の駆動方法が互いに異なる第１駆動モードと第２駆動モードを含む複数の駆動モードのいずれかを設定する設定手段と、
前記設定手段によって設定された駆動モードに応じた駆動方法で、前記複数の発光ダイオードのそれぞれが周期的に発光するように、前記発光手段を駆動する制御手段と、
を有し、
前記発光手段を所定の発光輝度で点灯させる場合に、
前記複数の発光ダイオードのうちの一部の発光ダイオードについて、前記第２駆動モードでは、前記第１駆動モードに比べて、点灯期間の駆動電流値が低く、かつ１周期における点灯時間が長い
ことを特徴とする光源装置。
【請求項２】
前記第１駆動モードは、前記発光手段の発光輝度と発光色の少なくとも一方を、入力画像データに応じて変化させる駆動モードであり、
前記第２駆動モードは、前記発光手段の発光輝度と発光色を、入力画像データに応じて変化させない駆動モードである
ことを特徴とする請求項１に記載の光源装置。
【請求項３】
前記発光手段は、前記発光手段の発光面の領域内の複数の部分領域のそれぞれについて、前記複数の発光ダイオードを有し、
前記第１駆動モードは、前記複数の部分領域のそれぞれについて、前記発光手段の発光輝度と発光色の少なくとも一方を個別に変化させる駆動モードであり、
前記第２駆動モードは、前記複数の部分領域の間で前記発光手段の発光輝度と発光色を略一致させる駆動モードである
ことを特徴とする請求項２に記載の光源装置。
【請求項４】
前記第２駆動モードは、前記第１モードが設定されているときの前記発光手段の発光輝度の上限値よりも高い発光輝度で前記発光手段を発光させる駆動モードである
ことを特徴とする請求項２または３に記載の光源装置。
【請求項５】
前記複数の発光ダイオードは、緑色の光を発する発光ダイオードであるＧ−ＬＥＤを含み、
前記第１駆動モードと前記第２駆動モードの間で前記Ｇ−ＬＥＤの発光輝度が略一致するように前記Ｇ−ＬＥＤを駆動したと仮定した場合において、前記第２駆動モードでは、前記第１駆動モードに比べ、前記Ｇ−ＬＥＤの点灯期間に前記Ｇ−ＬＥＤに供給する電流が低く、前記Ｇ−ＬＥＤの発光の１周期における前記Ｇ−ＬＥＤの点灯期間が長い
ことを特徴とする請求項１〜４のいずれか１項に記載の光源装置。
【請求項６】
前記複数の発光ダイオードは、青色の光を発する発光ダイオードであるＢ−ＬＥＤをさらに含み、
前記第１駆動モードと前記第２駆動モードの間で前記Ｂ−ＬＥＤの発光輝度が略一致するように前記Ｂ−ＬＥＤを駆動したと仮定した場合において、前記第２駆動モードでは、前記第１駆動モードに比べ、前記Ｂ−ＬＥＤの点灯期間に前記Ｂ−ＬＥＤに供給する電流が低く、前記Ｂ−ＬＥＤの発光の１周期における前記Ｂ−ＬＥＤの点灯期間が長い
ことを特徴とする請求項５に記載の光源装置。
【請求項７】
前記Ｇ−ＬＥＤは、ガリウム・ナイトライド系半導体ＬＥＤである
ことを特徴とする請求項５または６に記載の光源装置。
【請求項８】
前記Ｇ−ＬＥＤの発光効率は、前記複数の発光ダイオードに含まれる他の発光ダイオードの発光効率よりも低い
ことを特徴とする請求項５〜７のいずれか１項に記載の光源装置。
【請求項９】
前記Ｂ−ＬＥＤは、ガリウム・ナイトライド系半導体ＬＥＤである
ことを特徴とする請求項６に記載の光源装置。
【請求項１０】
前記発光手段の発光輝度は、発光ダイオードに供給する電流のパルス信号のパルス幅とパルス振幅の少なくとも一方を調整することで変更可能である
ことを特徴とする請求項１〜９のいずれか１項に記載の光源装置。
【請求項１１】
前記発光手段を所定の発光輝度で点灯させる場合に、前記複数の発光ダイオードのうちの前記一部の発光ダイオード以外の発光ダイオードについては、前記第２駆動モードでの点灯期間の駆動電流値と１周期における点灯期間とが、前記第１駆動モードでのそれらと等しい
ことを特徴とする請求項１〜１０のいずれか１項に記載の光源装置。
【請求項１２】
請求項１〜１１のいずれか１項に記載の光源装置と、
前記光源装置から発せられた光を入力画像データに基づいて変調することにより、画面に画像を表示する表示手段と、
を有することを特徴とする画像表示装置。
【請求項１３】
前記設定手段は、前記入力画像データに応じて、前記複数の駆動モードのいずれかを設定する
ことを特徴とする請求項１２に記載の画像表示装置。
【請求項１４】
前記設定手段は、ユーザ操作に応じて、前記複数の駆動モードのいずれかを設定する
ことを特徴とする請求項１２に記載の画像表示装置。
【請求項１５】
前記ユーザ操作は、前記複数の駆動モードのいずれかを選択するユーザ操作とは異なるユーザ操作である
ことを特徴とする請求項１４に記載の画像表示装置。
【請求項１６】
発光色が互いに異なる複数の発光ダイオードを有する発光手段を有する光源装置の制御方法であって、
前記発光手段の駆動方法が互いに異なる第１駆動モードと第２駆動モードを含む複数の駆動モードのいずれかを設定する設定ステップと、
前記設定ステップによって設定された駆動モードに応じた駆動方法で、前記複数の発光ダイオードのそれぞれが周期的に発光するように、前記発光手段を駆動する制御ステップと、
を有し、
前記発光手段を所定の発光輝度で点灯させる場合に、
前記複数の発光ダイオードのうちの一部の発光ダイオードについて、前記第２駆動モードでは、前記第１駆動モードに比べて、点灯期間の駆動電流値が低く、かつ１周期における点灯期間が長い
ことを特徴とする光源装置の制御方法。
【請求項１７】
コンピュータを請求項１〜１１のいずれか１項に記載の光源装置の前記制御手段として機能させるためのプログラム。
【手続補正２】
【補正対象書類名】明細書
【補正対象項目名】０００８
【補正方法】変更
【補正の内容】
【０００８】
本発明の第１の態様は、
発光色が互いに異なる複数の発光ダイオードを有する発光手段と、
前記発光手段の駆動方法が互いに異なる第１駆動モードと第２駆動モードを含む複数の駆動モードのいずれかを設定する設定手段と、
前記設定手段によって設定された駆動モードに応じた駆動方法で、前記複数の発光ダイオードのそれぞれが周期的に発光するように、前記発光手段を駆動する制御手段と、
を有し、
前記発光手段を所定の発光輝度で点灯させる場合に、
前記複数の発光ダイオードのうちの一部の発光ダイオードについて、前記第２駆動モードでは、前記第１駆動モードに比べて、点灯期間の駆動電流値が低く、かつ１周期における点灯時間が長い
ことを特徴とする光源装置である。
【手続補正３】
【補正対象書類名】明細書
【補正対象項目名】００１０
【補正方法】変更
【補正の内容】
【００１０】
本発明の第３の態様は、
発光色が互いに異なる複数の発光ダイオードを有する発光手段を有する光源装置の制御方法であって、
前記発光手段の駆動方法が互いに異なる第１駆動モードと第２駆動モードを含む複数の駆動モードのいずれかを設定する設定ステップと、
前記設定ステップによって設定された駆動モードに応じた駆動方法で、前記複数の発光
ダイオードのそれぞれが周期的に発光するように、前記発光手段を駆動する制御ステップと、
を有し、
前記発光手段を所定の発光輝度で点灯させる場合に、
前記複数の発光ダイオードのうちの一部の発光ダイオードについて、前記第２駆動モードでは、前記第１駆動モードに比べて、点灯期間の駆動電流値が低く、かつ１周期における点灯期間が長い
ことを特徴とする光源装置の制御方法である。
【手続補正４】
【補正対象書類名】明細書
【補正対象項目名】００１１
【補正方法】変更
【補正の内容】
【００１１】
本発明の第４の態様は、コンピュータを前記光源装置の前記制御手段として機能させるためのプログラムである。